(57)【要約】　　　（修正有）【課題】手術に使用されたガーゼを取り出し忘ないように防止するとともに確実に取り出したガーゼ数のカウントができ、より収納しやすい、取り扱いやすいもので、安価なガーゼホルダーを提供する。【解決手段】一枚のガーゼを収納するのにほぼ必要十分な容積量の収納部を基板に複数設け、前記収納部を覆う蓋を設置するとともに、前記収納部の個々に対応する前記蓋の個々の中心部に前記ガーゼを収納する入り口を構成する複数の切り込みを設けたことを特徴とするガーゼホルダー。【選択図】　　図１
0003098966.tif 000002
【実用新案登録請求の範囲】
【請求項１】
一枚のガーゼを収納するのにほぼ必要十分な容積量の収納部を基板に複数設け、前記収納部を覆う蓋を設置するとともに、前記収納部の個々に対応する前記蓋の個々の中心部に前記ガーゼを収納する入り口を構成する複数の切り込みを設けたことを特徴とするガーゼホルダ。
【請求項２】
前記複数の収納部を縦および／または横方向に分類する位置の前記基板に凸部を設け、前記凸部の位置に対応し前記凸部に係合する凹部を設けた前記蓋は、前記凸部と前記凹部の係合状態では前記基板と前記蓋とをしっかりと固定するように構成したことを特徴とする請求項１のガーゼホルダ。
【請求項３】
前記蓋は透明であることを特徴とする請求項１または２のガーゼホルダ。
【請求項４】
前記収納部の開口の近くおよび／または中壁および／または底部若しくは前記蓋の前記開口の上および／または近辺に数字を順番に付したことを特徴とする請求項３のガーゼホルダ。
【請求項５】
前記基板の一端と前記蓋を含む板の一端を一体的に構成したことを特徴とする請求項３のガーゼホルダ。
【考案の詳細な説明】
【０００１】
【考案の属する技術分野】
本考案は、ガーゼホルダに関するものであり、更に詳しくは手術に用いた使用済みガーゼを体内に取り残しなく、安全に且つ簡便に取り出して収納する使用済みガーゼホルダに関するものである。
【０００２】
【従来の技術】
胸部の手術など多くの手術において、多量のガーゼが使用されるが、使用したガーゼのすべてを取り出すには、細心の注意を必要とする。体内で、ガーゼが血液などの体液を十分に吸収して判別が難しくなり、短時間で判別して間違いなく取り出すのは大変な作業である。そのため大きな手術では、時々取り忘れが起こっている。
【０００３】
このような問題の解決のために、たとえば、特開昭６３−１４３０５３、特開平６−３８９８０に記載されたように、大掛かりな装置を用いて、使用済みのガーゼをカウントして、取り忘れを防止することが行われている。しかし、取り扱いの大変さと費用の観点から、この簡便化が望まれている。
【０００４】
たとえば、実開平２−１４１３３４、実開平６−１１７０８などに記載されているように、基板に設けられたガーゼ収納部に使用済みガーゼを収納させることにより、基板にあらかじめ設けられた収納部の特定された数から、カウントが容易になり、使用時の枚数と収納された枚数との比較で、容易に取り残しが見つけられる工夫がされている。本考案は、この簡便化されたガーゼホルダの改良に関するもので、実開平２−１４１３３４、実開平６−１１７０８に開示された技術思想、ガーゼホルダの構造がそのまま利用できる利点も有している。
【０００５】
【考案が解決しようとする課題】
公知の簡便化されたガーゼホルダは、大掛かりな装置を必要とせずに簡単に使用済みガーゼの回収枚数をカウントできる優れたホルダである。従って、病院において、製品価値は十分に評価されている。しかしながら、多量に血液などの体液を吸収したガーゼは、数枚が貼り付いてなかなか一枚に剥すことが出来なかったり、そのために収納部に収納させるのに時間と経験を要するとか、その多量の体液が溢れ出すなどの改善点があって、これらの改良が望まれている。
【０００６】
【課題を解決するための手段】
本考案は、かかる状況に鑑みなされたもので、一枚のガーゼを収納するのにほぼ必要十分な容積量の収納部を基板に複数設け、前記収納部を覆う蓋を設置するとともに、前記収納部の個々に対応する前記蓋の個々の中心部に前記ガーゼを収納する入り口を構成する複数の切り込みを設けたことを特徴とするガーゼホルダが、前記問題解決のために非常に有用であることを見出した。
【０００７】
【考案の実施の態様】
上記において、前記蓋は、透明なものが望ましい関係で、ポリエチレン、ポリプロピレンなどの合成樹脂が好ましく望まれ、公害などを考慮し、また処理後の廃棄処分、焼却処分などを考慮することが望ましい。前記蓋は、それぞれ個々に作られ、対応する前期収納部の個々の周辺部に接着させることができる。たとえば、前記基板と前記収納部が前記実開平に記載された材質のうち、熱融着可能な材質を選択し、たとえばポリエチレンを選択し、蓋素材として同一の素材を選択したときには、熱融着で前記周辺部の一部または全部で接合できる。この接合は、超音波接着も利用できる。もちろん、接着剤を用いても良いし、凹凸係合での機械的な結合を用いることもできる。たとえば、前記基板に凸部を設け、前記蓋に凹部を設けて、これらの凹凸でしっかり係合させることができる。また、前記蓋は複数の蓋を集合的一体的に構成し、一枚の板のように構成することもでき、このときには、前記蓋を有する板の一端と前記基板の一端とを一体的に構成し、それぞれの他端に凹凸を形成し、この係合で、前記基盤に前記蓋を固定することもできる。
【０００８】
また、前記蓋の中央部に複数の切り込みが入れられるが、切り込みの数は、２本から多数まで自由に選択される。しかし、前記蓋の材質（たとえば、ポリエチレンであっても、低分子量のもの、高分子量のものなどの分子量の違い、またその製造法などにより異なる。）と厚さによって、切り込みの数を調整して、総合的に好ましい硬さにすることが望ましい。即ち、使用済みのガーゼをピンセットで、前記収納部に押し込む際に適当な抵抗を有することが望ましい。
【０００９】
たとえば、ピンセットで摘んだガーゼに体液を十分に吸収した別のガーゼが付着していたとしても、前記切り込みにガーゼを押し込んだ際には、別のガーゼがはぎ落とされることが可能になる。あるいは、たとえば、２枚のガーゼを押し込んだ際には、当然入りきらずにあふれることになるが、その溢れ出たうちの一枚を取り出すときに本来の一枚のガーゼを収納部に保持して、剥がす効果もある。そのために、前記蓋の材質は、フレキシブルな性質と帰戻性が要求される。
【００１０】
前記蓋は、体液を前記基板外に流れださないようにする効果もある。前記基板の周辺に凸部を設けて、基板強度を向上させるとともに、体液の流れの障壁をつくり、前記蓋に凹部を設けてこの凸部全体に係合するようにすることによって、体液の溢れ出るのを防止することができる。また、前記蓋を前記基板にしっかりと固定させることもできる。
【００１１】
前記基板に設けられる前記収納部は、複数個であるが、計算のしやすさから（扱いやすさから）、１０個、２０個、３０個などの数が好ましい。勿論、組み合わせて数えやすくすることも可能である。たとえば、２０個用と１０個用を組み合わせて用い、基本的に２０個用を用いて、残りが少ないところでは、１０個用を用いることもできる。一般的に多く用いられる手術用のガーゼは、使用前で一枚ほぼ３グラムであり、本考案にかかるホルダの重さと前記収納部の数とを用いて、簡単に使用後に収納された体液量、たとえば血液量を簡単に計算できる。また、別の実施の対応では、前記蓋を透明にし、たとえば、前記収納部の底に順次数字を付帯し、前記蓋から見えるようにすることにより、何枚を回収し、収納したかが一目で分かるようにすることもできる。これにより、使用済みガーゼの回収収納枚数のカウントが更に容易になる。このように、前記収納部の開口の近くおよび／または中壁および／または底部若しくは前記蓋の前記開口の上および／または近辺に数字を順番に付すことができる。
【００１２】
【実施例】
以下、本考案を実施例で、図１および２により更に具体的に説明する。図１は本考案に係る１実施例のガーゼホルダの斜視図であり、図２は図１にかかるガーゼホルダを図１の右側から見た側面図である。
【００１３】
１は、基板で白色のポリエチレンから構成され、ガーゼの収納部２を複数個有している。この実施例では６個の例であるが、２０個とか３０個が一般的である。これに透明なポリエチレンからなる蓋４の集合体３が固定されている。各蓋４には切り込み５が設けられている。前記切り込みは、この例では十文字に入れられているが、星型に入れることもできるし、米型に入れることもできる。この切り込みの数は、蓋の弾性が強い場合には多く、弱い場合には少なく入れる。前記蓋の切り込みを入れる前の弾性は、蓋の厚さと材質で決まる。この切り込みの交点は、収納部２の開口の中心またはほぼ中心に位置し、ガーゼの入り口を構成する。また収納部２の開口に対応する前記蓋の部分を外側に膨らみをもたせ、その断面が浅いＵ字型に構成することもでき、このとき、前記膨らみの頂点が切り込みの交点になるように構成できる。このようにすると入る側の抵抗を大きく、引き出すときの抵抗を少なくすることもできる。使用済みガーゼを押し込むときの抵抗を変えて、複数枚の使用済みで回収したガーゼを同時に前記収納部に押し込んだときに余分のガーゼを引き出すときの抵抗を弱くするときには便利である。逆に前記蓋の前記部分を凹ませると出入りの抵抗の関係を逆にすることができ、抵抗の調節が可能である。
【００１４】
ピンセットで保持された使用済みのガーゼは、前記切り込み５から押し込まれるが、もし、体液を十分含んだ他のガーゼと一緒になっていたときには、切り込み５で、前記他のガーゼがそぎ落とされ、一枚ずつ確実に収納部２に収納される。しかし、もし、２枚が同時に切り込み５内に押し込まれたときには、収納部２は、一枚のガーゼの収納にほぼ必要十分な容量であるから、収納しきれずに押し込めない状態になる。そこで、一枚のガーゼを引き出して、隣の収納部に入れようと引き出すときに、本来の一枚を前記切り込みが抑えて保持するために、確実に一枚を取り出すことができる。結果として、例え数枚の使用済みガーゼが一緒になっていたとしても、前記収納部に確実に一枚の使用済みガーゼを簡単にいれられる。
【００１５】
前記基板の形は、長方形、正方形、円などいろいろな形をとりえるが、扱いやすさの点では、長方形が一般的で、前記実施例では、前記基板に設けられた長手方向に延設された凸部７に、前記蓋の集合体３に延設された凹部８が強固に係合するように構成され、各蓋が各収納部にしっかりと対応している。なお、前記収納部は、断面がＵ字型の円錐に近い形になっている。その容積はほぼ１５ミリリットルである。
【００１６】
【考案の効果】
本考案は以上のように構成されるから、体液を十分に含んで、互いに接合したガーゼ一枚ずつの収納が確実に簡単に行われ、しかも体液を飛び散らせることもなく、また、体液の溢れ出しも防止され、更に前記切り込みが前記収納部へのガイドとしても作用することから使用済みガーゼを収納部により入れやすい効果を有している。
【図面の簡単な説明】
【図１】本考案の１実施例の斜視図である。
【図２】上記実施例の側面図である。
【符号の説明】
１　　基板
２　　収納部
３　　蓋集合体
４　　蓋
５　　切り込み
【図１】
0003098966.tif 000003
【図２】
0003098966.tif 000004